(57)【要約】【課題】プリントチャンネルの設定後にマガジンの交換が必要な場合には、オペレータの作業スケジュールを狂わせることのない写真プリント装置を構成する。【解決手段】オーダ画面においてプリント選択アイコンを選択した場合には、整合判定手段７７が、写真プリント装置に装着されている印画紙マガジンＭに収容された印画紙と、プリント選択アイコンに関連付けられたプリントチャンネルに設定されている印画紙との整合性を判定し、整合しない場合にはエラー画面を表示する。【選択図】図３
2007171263.tif 000002
【特許請求の範囲】
【請求項１】
プリントユニットでのプリント処理を制御する複数のパラメータを含む複数の制御チャンネルが保存され、この複数の制御チャンネルからプリント形態に対応した１つをオペレータが選択することにより、その制御チャンネルに基づいてプリントユニットを制御し、マガジンから供給される長尺のプリント媒体を設定長さに切断した後に画像データのプリント処理を行うプリント制御ユニットを備えている写真プリント装置であって、
この写真プリント装置に対して前記マガジンが交換自在に装着され、この装着されたマガジンに収容された前記プリント媒体を識別する識別手段を備え、
モニタに表示された入力画面においてプリント形態に対応した前記制御チャンネルの選択と、この制御チャンネルに対応したプリント処理の詳細の設定とを実現するオーダ設定手段を備えると共に、前記入力画面において前記制御チャンネルが選択された時点で、この選択された制御チャンネルと前記識別手段で識別したプリント媒体との整合性を判定して、判定結果を前記モニタに出力する整合判定手段を備えている写真プリント装置。
【請求項２】
前記整合判定手段は、前記制御チャンネルが選択された時点で、選択された制御チャンネルと前記識別手段で識別したプリント媒体とが整合しないことを判定した場合には、整合しないことを示すメッセージを前記モニタに表示する請求項１記載の写真プリント装置。
【請求項３】
前記入力画面は、前記制御チャンネルを選択することにより、その制御チャンネルに設定されたプリントサイズの情報を、この入力画面中に表示するように表示形態が設定され、前記整合判定手段は、前記制御チャンネルが選択された時点で、選択された制御チャンネルと前記識別手段で識別したプリント媒体とが整合しないことを判定した場合には、前記入力画面中に表示されるプリントサイズの情報を特徴的な表示に変更する請求項１記載の写真プリント装置。
【請求項４】
前記入力画面は、前記制御チャンネルを選択することにより、その制御チャンネルに設定されたプリントサイズの情報を、この入力画面中に表示するように表示形態が設定され、前記整合判定手段は、前記制御チャンネルが選択された時点で、選択された制御チャンネルと前記識別手段で識別したプリント媒体とが整合しないことを判定した場合には、前記入力画面中に表示されるプリントサイズの情報と重複する位置に取消ラインを表示する請求項１記載の写真プリント装置。
【発明の詳細な説明】
【技術分野】
【０００１】
本発明は、プリントユニットでのプリント処理を制御する複数のパラメータを含む複数の制御チャンネルが保存され、この複数の制御チャンネルからプリント形態に対応した１つをオペレータが選択することにより、その制御チャンネルに基づいてプリントユニットを制御し、マガジンから供給される長尺のプリント媒体を設定長さに切断した後に画像データのプリント処理を行うプリント制御ユニットを備えている写真プリント装置に関する。
【背景技術】
【０００２】
上記のように構成された写真プリント装置と関連する技術としては特許文献１に記載されるものが存在する。この特許文献１では、フィルムの画像を印画紙に焼き付けるための焼付処理部と、印画紙の現像処理を行う印画紙現像処理部と、これらを制御する制御手段とを備えており、この制御手段に各種情報を入力する入力手段を備えている。
【０００３】
この特許文献１では、制御手段が、プリントサイズや印字の設定等を行うプリントチャンネル（本発明の制御チャンネル）の設定項目と、インデックスプリントの種類やプリント枚数等の設定を行うプリントフォームとをモニタの同一画面に表示し、この画面上において設定項目について各種情報（本発明のパラメータ）を入力する点が記載されている。
【０００４】
【特許文献１】特開２００１‐３０５６７０号公報
【発明の開示】
【発明が解決しようとする課題】
【０００５】
本発明の制御チャンネルの具体例として、プリントチャンネルを例に挙げると、プリント処理を行う際には、プリント処理に先立って、ロール状の印画紙の幅の値（寸法）等に対応したプリントチャンネルをオペレータが選択することにより、印画紙の幅の値、入力メディア、プリントサイズ等のパラメータが自動的に設定され、多くの設定を行わずに済むものになる。
【０００６】
ミニラボと称せられる写真プリント装置を例に挙げると、異なる幅や異なる面質の印画紙を収容した複数の印画紙マガジンを交換して使用（装着）できるため、使用可能な印画紙マガジンに対応してプリントチャンネルを生成している。このような理由から、プリント処理を行う際には、モニタに表示したオーダ画面等においてオペレータがプリントチャンネルを選択し、必要な場合にはプリントチャンネルで設定されていない情報を入力した後に、プリント処理の実行に移行することになる。
【０００７】
しかしながら、従来からの写真プリント装置ではオーダ画面等においてプリントチャンネルに関連する全ての情報の入力が完了した時点で、プリントチャンネルと、印画紙マガジンに収容された印画紙との整合性を判断していたため、プリントチャンネルと整合しない印画紙マガジンが装着されていた場合には、プリント処理を実行する処理に移行した直後に、装着されている印画紙マガジンの交換を求めるメッセージ等が出力されることになり、オペレータの作業スケジュールを狂わせる点において改善の余地があった。
【０００８】
つまり、ＤＰ店のオペレータは、写真プリント装置でプリント処理を実行する際には、プリントチャンネルの設定等、プリント処理に必要な操作を行い、プリント処理を開始した後には写真プリント装置から離れて他の作業を行うことも多く、そのためのスケジュールもセットしている。このような理由からプリント処理を開始する段階になって印画紙マガジンの交換を行うことは他の作業に影響を与えるものとなっていたのである。
【０００９】
本発明の目的は、制御チャンネルを設定した後にマガジンの交換が必要な場合には、オペレータの作業スケジュールを狂わせることがなく作業を行える写真プリント装置を合理的に構成する点にある。
【課題を解決するための手段】
【００１０】
本発明の特徴は、プリントユニットでのプリント処理を制御する複数のパラメータを含む複数の制御チャンネルが保存され、この複数の制御チャンネルからプリント形態に対応した１つをオペレータが選択することにより、その制御チャンネルに基づいてプリントユニットを制御し、マガジンから供給される長尺のプリント媒体を設定長さに切断した後に画像データのプリント処理を行うプリント制御ユニットを備えている写真プリント装置において、
この写真プリント装置に対して前記マガジンが交換自在に装着され、この装着されたマガジンに収容された前記プリント媒体を識別する識別手段を備え、モニタに表示された入力画面においてプリント形態に対応した前記制御チャンネルの選択と、この制御チャンネルに対応したプリント処理の詳細の設定とを実現するオーダ設定手段を備えると共に、前記入力画面において前記制御チャンネルが選択された時点で、この選択された制御チャンネルと前記識別手段で識別したプリント媒体との整合性を判定して、判定結果を前記モニタに出力する整合判定手段を備えている点にある。
【００１１】
この構成により、オーダ設定手段によって制御チャンネルを選択した時点で、識別手段で識別したプリント媒体と、制御チャンネルとプリント媒体との整合性を整合判定手段が判定し、判定結果をモニタに出力することになるので、整合しない場合には、この時点でマガジンの交換を行うことが可能となり、プリント処理を開始する段階になってマガジンを交換する必要がない。その結果、制御チャンネルを設定した後にマガジンの交換が必要な場合であっても、オペレータの作業スケジュールを狂わせることのない写真プリント装置が構成された。
【００１２】
本発明は、前記整合判定手段は、前記制御チャンネルが選択された時点で、選択された制御チャンネルと前記識別手段で識別したプリント媒体とが整合しないことを判定した場合には、整合しないことを示すメッセージを前記モニタに表示しても良い。
【００１３】
この構成により、制御チャンネルとプリント媒体が整合しない場合には、モニタに表示したメッセージで整合しないことを把握でき、この情報に基づいて整合するプリント媒体のマガジンを装着できる。
【００１４】
本発明は、前記入力画面が、前記制御チャンネルを選択することにより、その制御チャンネルに設定されたプリントサイズの情報を、この入力画面中に表示するように表示形態が設定され、前記整合判定手段は、前記制御チャンネルが選択された時点で、選択された制御チャンネルと前記識別手段で識別したプリント媒体とが整合しないことを判定した場合には、前記入力画面中に表示されるプリントサイズの情報を特徴的な表示に変更しても良い。
【００１５】
この構成により、入力画面において選択した制御チャンネルとプリント媒体とが整合しない場合には、選択された制御チャンネルに対応して表示されるプリントサイズの情報が特徴的な表示に変更されるので、オペレータは整合しないことを視覚的に認識できる。
【００１６】
本発明は、前記入力画面は、前記制御チャンネルを選択することにより、その制御チャンネルに設定されたプリントサイズの情報を、この入力画面中に表示するように表示形態が設定され、前記整合判定手段は、前記制御チャンネルが選択された時点で、選択された制御チャンネルと前記識別手段で識別したプリント媒体とが整合しないことを判定した場合には、前記入力画面中に表示されるプリントサイズの情報と重複する位置に取消ラインを表示しても良い。
【００１７】
この構成により、入力画面において選択した制御チャンネルとプリント媒体とが整合しない場合には、選択された制御チャンネルに対応して表示されるプリントサイズの情報と重複する位置に取消ラインが表示されることになるので、オペレータは整合しないことを視覚的に認識できる。
【発明を実施するための最良の形態】
【００１８】
以下、本発明の実施形態を図面に基づいて説明する。
〔写真プリント装置〕
図１及び図２に示すように、暗箱構造の筐体１０の外部にオペレート部Ａを形成すると共に、筐体１０の内部に印画紙Ｐ（プリント媒体の一例）に画像データの露光を行う露光処理部Ｅｘと、この露光処理部Ｅｘからの印画紙Ｐを反転することで表裏を入れ換えて上方に搬送する縦搬送部ＣＶと、この縦搬送部ＣＶからの印画紙Ｐの現像処理を行う現像処理部Ｄｅと、この現像処理部Ｄｅからの印画紙Ｐの乾燥を行う乾燥処理部Ｄｒとを形成し、この乾燥処理部Ｄｒで乾燥された印画紙Ｐを筐体１０の端部の排出部１１から排出し、搬送ベルト１２で受け止めて水平方向に搬送し、複数のトレイ１３Ａの何れかにオーダ単位で回収するソータ１３を備えてデジタルミニラボと称せられる写真プリント装置が構成されている。尚、前記露光処理部Ｅｘ、縦搬送部ＣＶ、現像処理部Ｄｅ、乾燥処理部Ｄｒ夫々で本発明のプリントユニットが構成されている。
【００１９】
〔オペレート部〕
前記オペレート部Ａは、オペレータが画像データの取得と、プリント処理に必要な操作とを行う操作端末として機能するものであり、このオペレート部Ａには、テーブル部２０に設置された汎用コンピュータで成るプリント制御ユニット２１と、このプリント制御ユニット２１の上面に設置されたモニタ２２と、現像処理後の写真フィルムＦのコマ画像から画像データを取得するフィルムスキャナ２３と、２つのキーボード２４とマウス２５とを備えている。前記プリント制御ユニット２１の前面にはコンパクトフラッシュ（商標）やメモリースティック（商標）等各種の半導体型の記憶媒体（図示せず）と、ＣＤ−ＲＯＭ、ＤＶＤ、ＭＯ等の磁気式や光学式の記憶媒体（図示せず）との間で情報のアクセスを行う複数のメディアドライブ２６とを備えている。
【００２０】
前記フィルムスキャナ２３は、下部に配置した光源２３Ａからの光線をフィルムキャリア２３Ｂに支持された写真フィルムＦに照射し、この写真フィルムＦからの光線をレンズユニット２３Ｃから上部の光電変換ユニット２３Ｄに導き、この光電変換ユニット２３Ｄにおいて写真フィルムＦのコマ画像の光電変換とＡ／Ｄ変換とを行うことによりＲ（赤）・Ｇ（緑）・Ｂ（青）の３原色に色分解したデジタル型の画像データとして取得する。
【００２１】
〔縦搬送部・現像処理部・乾燥処理部〕
図面には具体的な構造を示していないが、前記縦搬送部ＣＶは、前記露光処理部Ｅｘで露光された印画紙Ｐを圧着型のローラ１５で受け取り、圧着型のローラの姿勢の変換によって表裏を入れ換え、ガイドレール１６に沿って上方に搬送し、前記現像処理部Ｄｅに送り出すように機能する。
【００２２】
前記現像処理部Ｄｅは、発色現像槽と漂白定着槽と安定槽とで成る複数の処理槽を樹脂によって一体形成した現像処理槽３０を備えると共に、前記露光処理部Ｅｘから供給された印画紙Ｐを夫々の現像処理槽に搬送するように複数の圧着型の複数のローラを有した搬送機構３１を備えている。前記乾燥処理部Ｄｒは、現像処理部Ｄｅから送り出された印画紙Ｐを搬送する複数の圧着ローラ３２と、この圧着ローラ３２で搬送される印画紙Ｐに対して乾燥空気を供給するブロワ３３とを備えている。
【００２３】
〔露光処理部〕
前記露光処理部Ｅｘは、２つ印画紙マガジンＭにロール状に収容された長尺の印画紙Ｐ（プリント媒体の一例）の何れか一方を圧着型の供給搬送ローラ４１で上方に引き上げた後に水平方向に送り出し、カッターユニット４２の排出ローラ４３からチャッカーＣに受け渡す。このチャッカーＣは印画紙Ｐを挟持する挟持状態と、印画紙Ｐを開放する開放状態とに切り換え自在なチャック部材（図示せず）を備えており、このチャック部材で印画紙Ｐを挟持した状態で水平方向へ移動し、印画紙Ｐの先端を露光ユニットＧに受け渡す。
【００２４】
前記露光ユニットＧは、露光搬送機構Ｇｃによって印画紙Ｐを水平方向（副走査方向）に搬送しながら、露光ヘッドＧｈによって主走査方向に沿ったライン露光を行うように露光形態が設定されている。また、前記露光搬送機構Ｇｃは、圧着状態と開放状態とに切り換え自在な第１ローラ４５と、第２ローラ４６と、第３ローラ４７とを、印画紙Ｐの搬送方向に沿って配置している。
【００２５】
前記露光ヘッドＧｈとして、Ｒ（赤）、Ｇ（緑）、Ｂ（青）の３原色に対応した３種の真空ケースの内部に多数のドット状となる蛍光体をライン状に配置し、蛍光体を独立して発光させるように構成したものを用いているが、これに代えて、光源からの光線の照射を画素単位で制御する液晶型等のシャッターから印画紙Ｐの感光面に導くことでライン露光を行うものや、Ｒ（赤）、Ｇ（緑）、Ｂ（青）の３原色のレーザビームを走査する形態でライン露光を行うものであっても良い。
【００２６】
この露光処理部Ｅｘには、この露光処理部Ｅｘでの印画紙Ｐの切断と搬送の制御とを行い、前記現像処理部Ｄｅでの印画紙Ｐの現像処理液の管理とを行い、前記乾燥処理部Ｄｒでの印画紙Ｐの搬送と温度管理とを行うためのマイクロプロセッサを有したプリント管理装置３６を備え、このプリント管理装置３６は以下のように印画紙Ｐを搬送して露光を行う。
【００２７】
〔露光処理形態〕
印画紙Ｐに対する露光処理を開始する際には、前記チャッカーＣをカッターユニット４２の近傍の待機位置にセットし、この状態において何れか一方の印画紙マガジンＭからの印画紙Ｐを供給搬送ローラ４１で水平方向に送り出し、カッターユニット４２の部位を通過させ、前記待機位置に設定されているチャッカーＣに受け渡す。
【００２８】
印画紙Ｐが受け渡されたチャッカーＣにおいて印画紙Ｐの先端近くを挟持し、水平方向への搬送を開始する。この水平方向への搬送時にはチャッカーＣの移動速度と同期した速度で前記供給搬送ローラ４１と排出ローラ４３とを駆動する。そして、カッターユニット４２の切断位置を基準にして搬送された印画紙Ｐの長さがプリントサイズに達すると、印画紙Ｐの搬送を一時停止してカッターユニット４２によって印画紙Ｐを切断し、この切断の後に、チャッカーＣを水平方向に更に移動させ、印画紙Ｐを露光搬送機構Ｇｃに受け渡す。
【００２９】
この露光搬送機構Ｇｃでは、第１ローラ４５を開放状態に設定して前記チャッカーＣからの印画紙Ｐを受け入れ、この受け入れの直後に圧着状態に切り換えることで印画紙Ｐの搬送を開始する。この搬送を開始した後には、第２ローラ４６を開放状態に設定して印画紙Ｐを受け入れ、この受け入れの直後に圧着状態に切り換えて印画紙Ｐの露光搬送を開始し、これと連係して前記第１ローラ４５を開放状態に設定する。次に、第３ローラ４７を開放状態に設定して印画紙Ｐを受け入れ、この受け入れの直後に第３ローラ４７を圧着状態に切り換え、これと連係して第２ローラ４６を開放状態に切り換えることで印画紙Ｐの露光搬送を継続する。
【００３０】
〔制御構造〕
図３に示すように写真プリント装置の制御系が構成されている。つまり、プリント制御ユニット２１は、マイクロプロセッサＣＰＵと、このマイクロプロセッサＣＰＵのデータバスに接続する入出力インタフェース（Ｉ／Ｏ）７０とを備え、この入出力インタフェース（Ｉ／Ｏ）７０に対して、前記モニタ２２と、フィルムスキャナ２３と、このフィルムスキャナ２３にセットされたフィルムキャリア２３Ｂを判別するフィルムキャリアセンサ２３Ｓと、キーボード２４と、マウス２５と、メディアドライブ２６と、ハードディスクＨＤとの間で情報がアクセスする信号系を形成し、また、入出力インタフェース７０と前記プリント管理装置３６との間で信号をアクセスする通信系を形成している。
【００３１】
前記マイクロプロセッサＣＰＵのデータバスに対して、ＲＡＭやＲＯＭで成る半導体メモリ７１と、ＧＵＩ制御手段７２と、画像データ取得手段７３と、プリント実行手段７４と、識別手段７５と、オーダ設定手段７６と、整合判定手段７７とを備えている。
【００３２】
前記ＧＵＩ制御手段７２は、前記モニタ２２に図４に示すオーダ画面５０等を表示し、その画面上においてマウス２５の操作に対応したカーソルの操作やキーボード２４の操作に基づいて情報を取得する等、モニタ２２に表示した画面を介して情報を取得する処理を実現する。前記画像データ取得手段７３は、入力対象（フィルムスキャナ２３、メディアドライブ２６等）から画像データを取得する処理を実行する。前記プリント実行手段７４は、画像データやオーダデータを前記プリント管理装置３６に伝送することによりプリント処理を実現する。
【００３３】
前記識別手段７５は前記マガジンセンサＭＳの検出結果に基づいて、印画紙マガジンＭに収容されている印画紙Ｐの幅の値や面質（光沢紙や半光沢紙等の感光面の質）等の情報を取得する。オーダ設定手段７６は前記モニタ２２に図４に示すオーダ画面５０を表示してプリント処理に必要な情報を取得する。前記整合判定手段７７はオーダ設定手段７６で取得した情報に基づいて設定されるプリントチャンネル（制御チャンネルの一例）と、該写真プリント装置に装着されている印画紙マガジンＭに収容されている印画紙Ｐとの整合性を判断する。
【００３４】
このＧＵＩ制御手段７２と、画像データ取得手段７３と、プリント実行手段７４と、識別手段７５と、オーダ設定手段７６と、整合判定手段７７とはソフトウエアで構成されるものであるが、これらをハードウエアで構成することや、ハードウエアとの組み合わせで構成しても良い。
【００３５】
また、前記プリント管理装置３６は、前記露光処理部Ｅｘの供給搬送ローラ４１から乾燥処理部Ｄｒの圧着ローラ３２に亘る搬送系全般を管理する搬送制御部８１と、前記露光ヘッドＧｈを制御して印画紙Ｐに対する画像データの露光を管理する露光制御部８２と、前記現像処理槽３０の現像処理液の温度管理や液面管理を行い、乾燥処理部Ｄｒの温度管理を行う現像・乾燥制御部８３とを制御するものであり、このプリント管理装置３６は２つの前記印画紙マガジンＭに備えたＩＤプレート（図示せず）の情報を取得するマガジンセンサＭＳからの信号が入力するように構成されている。
【００３６】
〔プリント処理の設定〕
プリント処理を行う際には、図４に示すオーダ画面５０をモニタ２２に表示する。このオーダ画面５０にはアイコン表示部５１と、機械情報表示部５２と、プリント実行ボタン５３とが表示されている。アイコン表示部５１には複数のプリント選択アイコン５１Ａが表示され、ページタブを操作することにより、異なる複数のプリント選択アイコン５１Ａが表示される。前記機械情報表示部５２は、情報表示領域５２Ａに前記２つの印画紙マガジンＭに収容された印画紙Ｐの幅の寸法と、面質と、残量とが数値で表示される。
【００３７】
操作形態は説明しないが、このオーダ画面５０では、オーダ画面５０中のボタンを操作することにより、プリント処理に必要な各種設定も行うことも可能である。
【００３８】
前記ハードディスクＨＤには複数のプリントチャンネル（制御チャンネルの一例）が保存され、夫々のプリントチャンネルが何れかの前記プリント選択アイコン５１Ａに関連付けられている。また、プリントチャンネルは、プリント処理に使用する印画紙Ｐの幅の寸法、印画紙Ｐの送り長さ（カッターユニット４２で切断するまでの印画紙Ｐの送り量：これによりアスペクト比が決まる）、印画紙Ｐの面質（光沢紙や半光沢紙等の感光面の質）の値、入力メディア等のパラメータで構成されている。
【００３９】
このような構成から、オーダ画面５０において、マウス２５の操作やキーボード２４のカーソルキーの操作によって、このアイコン表示部５１に表示された複数のプリント選択アイコン５１Ａの１つをカーソルで選択し、マウス２５のスイッチをクリックすることやキーボード２４の特定のキーを操作し、前記実行ボタン５３を操作することで、選択されたプリント選択アイコン５１Ａに対応するプリントチャンネル（制御チャンネルの一例）が設定される。
【００４０】
このようにプリントチャンネルが設定されると、プリントチャンネルのパラメータに基づき、前記フィルムスキャナ２３で写真フィルムＦから画像データを取得する、あるいは、メディアドライブ２６で半導体型の記憶媒体から画像データが取得され、このように取得した画像データを露光処理部Ｅｘにおいて印画紙Ｐに画像データを露光し、現像処理部Ｄｅで現像処理を行い、この現像処理後の印画紙Ｐを乾燥処理部Ｄｒで乾燥した後に排出するプリント処理が開始される。
【００４１】
この写真プリント装置では、前記オーダ画面５０でプリント選択アイコン５１Ａを選択した際に、選択したプリント選択アイコン５１Ａに関連付けられたプリントチャンネルのパラメータにおける印画紙Ｐの情報と、この写真プリント装置に装着されている２つの印画紙マガジンＭの何れかに収容されている印画紙Ｐの情報とが一致しない場合には、印画紙マガジンＭの交換を求めるメッセージを表示する処理を行うようにプリント処理が設定されて、その処理の概要を図６のフローチャートのように表している。
【００４２】
つまり、プリント処理を開始する場合には、モニタ２２にオーダ画面５０が表示され、装着状態にある印画紙マガジンＭの印画紙Ｐの情報が前記情報表示領域５２Ａに表示される（＃１０１、＃１０２ステップ）。
【００４３】
具体的に説明すると、複数の印画紙マガジンＭ夫々に備えた夫々のＩＤプレートは固有の識別情報がセットされ、前記マガジンセンサＭＳが近接することにより、このマガジンセンサＭＳがＩＤプレート固有の識別情報を取得する。このマガジンセンサＭＳは光学式センサ等の非接触型のセンサを備えており、前記プリント制御ユニット２１にはＩＤプレートの識別データに関連付けて印画紙マガジンＭに収容された印画紙Ｐの情報をハードディスクＨＤ等に保存している。
【００４４】
この印画紙Ｐの情報とは、印画紙Ｐの幅の値、印画紙Ｐの面質等の情報を含むものである。従って、写真プリント装置に印画紙マガジンＭが装着された状態では、ＩＤプレートの識別情報を前記マガジンセンサＭＳが取得することにより、前記プリント制御ユニット２１に保存された印画紙Ｐの情報が抽出される。尚、印画紙マガジンＭにおける印画紙Ｐの残量は、新たな印画紙Ｐを印画紙マガジンＭに収容した時点での印画紙Ｐの全長を前記ハードディスクＨＤ等に保存しておき、この全長からプリント処理において使用された印画紙Ｐの長さを減じた数値を残量として算出する処理によって求めたものである。
【００４５】
この＃１０２ステップでは、前記識別手段７５は前述したように前記マガジンセンサＭＳの検出結果に基づいて印画紙マガジンＭに収容されている印画紙Ｐの幅の寸法や面質等の情報を取得し、このように取得した情報を情報表示領域５２Ａに表示する処理が行われる。
【００４６】
次に、複数のプリント選択アイコン５１Ａの何れか１つが選択状態に達すると、前記整合判定手段７７が、そのアイコン５１Ａに対応するプリントチャンネルの情報と、装着状態にある印画紙マガジンＭの印画紙Ｐの情報とを比較し、整合・非整合を判定する（＃１０３、＃１０４ステップ）。
【００４７】
この比較を行う場合には、マガジンセンサＭＳの検出結果に基づいて取得した印画紙マガジンＭに収容された印画紙Ｐの情報のうち、印画紙Ｐの幅の値と、面質とに対して、前記プリントチャンネルにパラメータとしてセットされている印画紙Ｐの幅の値と、面質とが比較され、夫々とも一致する場合にのみ、整合すると判定し、印画紙Ｐの幅の値と、面質との何れか一方でも一致しない場合には整合しないと判定する。
【００４８】
次に、整合しない場合には図５に示すエラー画面５５をモニタ２２に表示して印画紙マガジンＭの交換を求めるメッセージを出力する。このエラー画面５５に基づいてオペレータが適正な印画紙マガジンＭをセットした場合、あるいは、既に適正な印画紙マガジンＭが装着されている場合にはプリント処理の実行が可能となり、オペレータが前記プリント実行ボタン５３を操作することによって、プリント処理が実行される（＃１０５〜＃１０８ステップ）。
【００４９】
このように本発明によると、オーダ画面においてプリント選択アイコン５１Ａを操作した時点で、このプリント選択アイコン５１Ａに関連付けられたプリントチャンネルと、写真プリント装置に装着されている印画紙マガジンＭに収容された印画紙Ｐの情報とが取得され、プリントチャンネルのパラメータとしてセットされている印画紙Ｐの幅の値と、面質とが比較され、夫々とも一致する場合にのみ整合すると判定し、整合しない場合には、その時点で、印画紙マガジンＭの交換を求めるメッセージが表示されるので、印画紙マガジンＭの交換を即時に行えるものとなり、オペレータの作業スケジュールを狂わせることのないものにしている。
【００５０】
本発明は、上記した実施形態以外に別実施形態として以下のように構成しても良い。以下に示す別実施形態では、先に記載した実施形態で記載した基本的な構成要件は共通するものであるが、オーダ画面６０の表示形態が異なり、整合判定手段７７の表示形態が異なるだけであり、構成要件の番号・符号のうち共通するものは同一の番号・符号を付している。
【００５１】
〔第１別実施形態〕
図７に示すように、オーダ画面６０としてプリントチャンネルの選択が可能なプリントチャンネル設定部６０Ａと、プリント対象を設定する出力設定部６０Ｂと、画像データの入力ソースを設定する入力設定部６０Ｃと、プリント方式を設定するプリント方式設定部６０Ｄと、印画紙マガジンＭやフィルムキャリアの情報が表示される機械情報表示部６０Ｅとを形成している。
【００５２】
前記出力設定部６０Ｂには、出力対象として印画紙Ｐを選択した際に、プリント情報が表示されるプリント情報表示部６１と、インデックスプリントの情報が表示されるインデックス情報表示部６２と、出力対象としてメディアを選択した際に、メディア情報が表示されるメディア情報表示部６３とが形成されている。
【００５３】
前記プリント情報表示部６１には、プリント枚数を設定するプリント枚数設定部６１Ａと、バックプリント、フロントプリント、フチの有無等の設定されたプリント形態を表示するプリント形態設定部６１Ｂと、プリントサイズを数値で表示するプリントサイズ表示部６１Ｃとが形成されている。前記インデックス情報表示部６２には、インデックスプリントのプリント枚数を設定するプリント枚数設定部６２Ａと、インデックスプリントのプリントサイズを表示するプリントサイズ表示部６２Ｂとが形成されている。
【００５４】
前記入力設定部６０Ｃは設定された入力ソースをアイコンの形態で表示し、前記プリント方式設定部６０Ｄには設定されたプリント形態をアイコンで表示し、前記機械情報表示部６０Ｅでは、装着されている印画紙マガジンＭの情報を印画紙情報表示部６５に表示し、フィルムスキャナ２３にセットされているフィルムキャリア２３Ｂの情報をフィルムキャリア情報表示部６６に表示する。
【００５５】
このようなオーダ画面６０のチャンネル設定部６０Ａにおいてプリントチャンネルを選択した場合、このプリントチャンネルにパラメータとしてセットされている印画紙Ｐの幅の値と面質とに対して、印画紙マガジンＭに収容された印画紙Ｐの情報のうち、印画紙Ｐの幅の値と面質とを前記整合判定手段７７が比較し、印画紙Ｐの幅の値と面質との何れか一方でも一致しない場合にのみ、オーダ画面６０の出力設定部６０Ｂのプリントサイズ表示部６１Ｃに表示された数値と、インデックス情報表示部６２のプリントサイズ表示部６２Ｂに表示された数値とを、他の表示と異なる色相に変更する。
【００５６】
つまり、プリントチャンネルの選択時において、プリントチャンネルにパラメータとして設定されている印画紙Ｐの情報と、装着されている印画紙マガジンＭに収容された印画紙Ｐとが整合しないことをオペレータに視覚的に認識させるものにしている。
【００５７】
この第１別実施形態では、出力設定部６０Ｂのプリントサイズ表示部６１Ｃと、インデックス情報表示部６２のプリントサイズ表示部６２Ｂにおいて数値を黒色で表示し、前述のように整合しない場合には赤色で表示することを想定しているが、この異なる色相としては赤色に限るものではなく、有彩色のように目立つものでも良い。また、このように異なる色相で表示する場合に、このように異なる色相で表示する数値をブリンクさせることによって一層目立つ表示にすることや、実施例に示したエラー画面を併せて表示するように処理形態を設定しても良い。
【００５８】
〔第２別実施形態〕
この第２別実施形態では、前記第１別実施形態に示したオーダ画面６０を使用するものであるが、プリントチャンネルを選択した場合、このプリントチャンネルにパラメータとしてセットされている印画紙Ｐの幅の値と面質とに対して、印画紙マガジンＭに収容された印画紙Ｐの情報のうち、印画紙Ｐの幅の値と面質とを前記整合判定手段７７が比較し、印画紙Ｐの幅の値と面質との何れか一方でも一致しない場合における表示形態が第１別実施形態と異なるものである。
【００５９】
つまり、整合手段７７が前述したように一致しないと判別した場合には、図８に示すように、出力設定部６０Ｂのプリントサイズ表示部６１Ｃに表示された数値と、インデックス情報表示部６２のプリントサイズ表示部６２Ｂに表示された数値とに重複する位置に取消ラインＬを表示する。このように、取消ラインＬを表示することにより、プリントチャンネルの選択時において、プリントチャンネルにパラメータとして設定されている印画紙Ｐの情報と、装着されている印画紙マガジンＭに収容された印画紙Ｐとが整合しないことを容易にオペレータに認識させるものにしている。
【００６０】
この第２別実施例においても、実施例に示したエラー画面を併せて表示するように処理形態を設定しても良い。
【００６１】
〔第３別実施形態〕
この第３別実施形態では、前記第１別実施形態に示したオーダ画面６０を使用するものであるが、プリントチャンネルを選択した場合、このプリントチャンネルにパラメータとしてセットされている印画紙Ｐの幅の値と面質とに対して、印画紙マガジンＭに収容された印画紙Ｐの情報のうち、印画紙Ｐの幅の値と面質とを前記整合判定手段７７が比較し、印画紙Ｐの幅の値と面質との何れか一方でも一致しない場合における表示形態が第１、第２別実施形態と異なるものである。
【００６２】
つまり、整合手段７７が前述したように一致しないと判別した場合には、図９に示すように、出力設定部６０Ｂのプリントサイズ表示部６１Ｃと、インデックス情報表示部６２のプリントサイズ表示部６２Ｂとにおいて、数値の背景となる領域を赤色等目立つものに変更する。このように、数値の背景となる領域の色相を目立つものに変更することにより、プリントチャンネルの選択時において、プリントチャンネルにパラメータとして設定されている印画紙Ｐの情報と、装着されている印画紙マガジンＭに収容された印画紙Ｐとが整合しないことを容易にオペレータに認識させるものにしている。
【００６３】
この第３別実施例においても、実施例に示したエラー画面を併せて表示するように処理形態を設定しても良い。
【図面の簡単な説明】
【００６４】
【図１】写真プリント装置の斜視図
【図２】写真プリント装置の縦断正面図
【図３】制御系のブロック回路図
【図４】オーダ画面を示す図
【図５】エラー画面を示す図
【図６】プリント処理のフローチャート
【図７】第１別実施形態のオーダ画面を示す図
【図８】第２別実施形態のオーダ画面を示す図
【図９】第３別実施形態のオーダ画面を示す図
【符号の説明】
【００６５】
２１          プリント制御ユニット
２２          モニタ
５０          入力画面（オーダ画面）
７５          識別手段
７６          オーダ設定手段
７７          整合判定手段
Ｌ            取消ライン
Ｍ            マガジン（印画紙マガジン）
Ｐ            プリント媒体（印画紙）
【図１】
2007171263.tif 000003
【図２】
2007171263.tif 000004
【図３】
2007171263.tif 000005
【図４】
2007171263.tif 000006
【図５】
2007171263.tif 000007
【図６】
2007171263.tif 000008
【図７】
2007171263.tif 000009
【図８】
2007171263.tif 000010
【図９】
2007171263.tif 000011